(57)【要約】【課題】感知ラインの圧力が一定値以上に上昇したときにその圧力上昇を一次配管に逃がし、それに伴う一次配管の圧力上昇分を一次配管から外部に流出することにより、アキュームレータの設置や、断熱工事が不要となり、配管全体のコストの低下を図ることを課題とする。【解決手段】火災感知ヘッドを備えた感知ラインの圧力低下にともなって開動作する一斉開放弁装置を、消火液を供給する一次配管と消火ヘッドを備えた二次配管との間に介在した泡消火設備において、前記一斉開放弁装置に、前記感知ライン内の消火液の圧力が所定圧力よりも高くなった際に、感知ライン側の消火液を一次配管側に逃がすための制御弁体を設けると共に、前記一次配管側に、その圧力上昇により開放する排出弁装置を設けたことにある。【選択図】　図１
2004135849.tif 000002
【特許請求の範囲】
【請求項１】
火災感知ヘッドを備えた感知ラインの圧力低下にともなって開動作する一斉開放弁装置を、消火液を供給する一次配管と消火ヘッドを備えた二次配管との間に介在した泡消火設備において、前記一斉開放弁装置に、前記感知ライン内の消火液の圧力が所定圧力よりも高くなった際に、感知ライン側の消火液を一次配管側に逃がすための制御弁体を設けると共に、前記一次配管側に、その圧力上昇により開放する排出弁装置を設けたことを特徴とする泡消火設備。
【請求項２】
弁本体に、消火液を供給する一次配管に接続される一次側室と、消火ヘッドを備えた二次配管に接続される二次側室と、感知ラインに接続される制御室とが設けられ、制御室には、該制御室と一次側室とを連通する通孔を開閉可能な弁体が設けられ、該弁体は、一次側室内の消火液が制御室を経て二次側室に流入するのを許容し、且つ、制御室内の消火液が一次側室内に流入するのを阻止する構成である一斉開放弁装置において、
前記弁体には、前記制御室と一次側室とを連通する制御用通孔が形成され、感知ライン内の消火液の圧力が所定圧力よりも高くなった際に、感知ライン側の消火液を一次配管側に逃がすための制御弁体が設けられ、該制御弁体は、皿状を呈したバネ座金と、該バネ座金の全体を被服する樹脂シートとからなり、制御弁体は、前記制御用通孔を開閉自在に閉塞すべく、固定具により弁体に押圧されていることを特徴とする一斉開放弁装置。
【請求項３】
弁本体内に、流体の流通する流通孔を有するボールバルブと、制御弁体と、該制御弁体をボールバルブに固定する固定具が設けられ、ボールバルブは、開閉すべく弁本体に回転自在に支持され、しかも、前記制御弁体は、皿状を呈したバネ座金と、該バネ座金を被服する樹脂シートとからなると共に、制御弁体の挿通孔に挿通された前記固定具には、ボールバルブの流通孔と外部とを連通する制御用通孔が形成され、固定具は、前記制御用通孔を開閉自在に閉塞するように、制御弁体をボールバルブに押圧されてなることを特徴とする弁装置。
【請求項４】
弁本体内に、流体の流通する流通孔を有するボールバルブと、制御弁と、該制御弁をボールバルブに固定する固定具が設けられ、ボールバルブは、開閉すべく弁本体に回転自在に支持され、しかも、前記制御弁体は、皿状を呈したバネ座金と、該バネ座金を被服する樹脂シートとからなり、ボールバルブには、前記流通孔に連通する複数の制御通孔が形成され、前記固定具は、制御弁に形成された挿通孔に挿通されると共に、制御用通孔を開閉自在に閉塞するように、制御弁体をボールバルブに押圧されてなることを特徴とする弁装置。
【発明の詳細な説明】
【０００１】
【発明の属する技術分野】
本発明は、感知ラインが火災を感知したときに、一斉開放弁装置が開いて複数の消火ヘッドに消火液が一斉に供給されるようにした泡消火設備及び一斉開放弁装置並びに弁装置に関する。
【０００２】
【従来技術】
例えば、自動車駐車場には、固定式の泡消火設備が設置されているのが一般的である。かかる泡消火設備は、図１１に示す如く泡原液タンク、消火ポンプ等を備えた消火液加圧給送部１００が接続される一次配管１１０と、放射区画ごとに配設された複数の二次配管１２０と、一次配管１１０及び二次配管１２０との間に介在される一斉開放弁装置Ａと、該一斉開放弁装置Ａに接続される感知ライン１３０とを備えたものである。
【０００３】
個々の二次配管１２０には、所要個数の消火ヘッド１２１が接続されていると共に、感知ライン１３０には、火災感知ヘッド１３１が接続されている。感知ライン１３０には消火液と共に不凍液が充填されており、一次配管１１０よりも充填液の圧力が高く維持されていると共に、一斉開放弁装置Ａは、火災時以外の通常時において、感知ライン１３０側の消火液が一次配管１１０側に不用意に流入するのを阻止している。
【０００４】
そして、火災による非常時には、感知ライン１３０に接続された火災感知ヘッド１３１が作動することにより、感知ライン１３０内の液体を放出する。このため、該感知ライン１３０の圧力が低下し、一斉開放弁装置Ａが開放されるため、一次配管１１０の消火液が、二次配管１２０に接続された消火ヘッド１２１から散布（流出）されて消火を行うようになっている。
【０００５】
外気温の上昇に伴って配管や消火液さらには消火液の入っている他の配管や器具類が膨張する。液状である消火液の膨張係数は金属製の配管や器具類に比べて大きいため、温度が高くなると特に、高圧状態にある感知ライン１３０の圧力が上昇することとなる。
【０００６】
一斉開放弁装置Ａによって、感知ライン１３０側の消火液が、一次配管１１０側に逆流しないようになっているので、感知ライン１３０の圧力が高くなったときにその圧力を下げる必要がある。感知ライン１３０の圧力上昇を放置しておくと、配管や器具類に損傷を与えるおそれがあり、好ましいものではない。
【０００７】
そこで、従来、感知ライン１３０に消火液の膨張分を吸収するためのアキュームレータを設置したり、または、断熱材などを使用して外部雰囲気温度を配管や配管内の消火液に伝わりにくくする手段がとられていた。
【０００８】
【発明が解決しようとする課題】
感知ライン１３０にアキュームレータを設置する方法は、個々の感知ライン１３０に複数のアキュームレータが必要となり、全体としては多くの個数が必要となり、アキュームレータ１個当りの価格が高いことから非常なコストアップとなる欠点があった。
【０００９】
断熱材を用いる方法は、工事費の高騰を招くばかりか、完全な断熱を行えることは困難であり、大きな効果を期待し難い問題があった。
【００１０】
本発明は、上記問題に鑑みてなされたものである。すなわち、本発明は、感知ラインの圧力が一定値以上に上昇したときにその圧力上昇を一次配管に逃がし、それに伴う一次配管の圧力上昇分を一次配管から外部に流出することにより、アキュームレータの設置や、断熱工事が不要となり、配管全体のコストの低下を図ることを課題とする。
【００１１】
【課題を解決するための手段】
本発明は、上記課題を解決するために泡消火設備及び一斉開放弁装置並びに弁装置としてなされたもので、泡消火設備としての特徴は、火災感知ヘッドを備えた感知ラインの圧力低下にともなって開動作する一斉開放弁装置を、消火液を供給する一次配管と消火ヘッドを備えた二次配管との間に介在した泡消火設備において、前記一斉開放弁装置に、前記感知ライン内の消火液の圧力が所定圧力よりも高くなった際に、感知ライン側の消火液を一次配管側に逃がすための制御弁体を設けると共に、前記一次配管側に、その圧力上昇により開放する排出弁装置を設けたことにある。
【００１２】
一斉開放弁装置としての特徴は、弁本体に、消火液を供給する一次配管に接続される一次側室と、消火ヘッドを備えた二次配管に接続される二次側室と、感知ラインに接続される制御室とが設けられ、制御室には、該制御室と一次側室とを連通する通孔を開閉可能な弁体が設けられ、該弁体は、一次側室内の消火液が制御室を経て二次側室に流入するのを許容し、且つ、制御室内の消火液が一次側室内に流入するのを阻止する構成である一斉開放弁装置において、
前記弁体には、前記制御室と一次側室とを連通する制御用通孔が形成され、感知ライン内の消火液の圧力が所定圧力よりも高くなった際に、感知ライン側の消火液を一次配管側に逃がすための制御弁体が設けられ、該制御弁体は、皿状を呈したバネ座金と、該バネ座金の全体を被服する樹脂シートとからなり、制御弁体は、前記制御用通孔を開閉自在に閉塞すべく、固定具により弁体に押圧されていることにある。
【００１３】
弁装置としての特徴は、弁本体内に、流体の流通する流通孔を有するボールバルブと、制御弁体と、該制御弁体をボールバルブに固定する固定具が設けられ、ボールバルブは、開閉すべく弁本体に回転自在に支持され、しかも、前記制御弁体は、皿状を呈したバネ座金と、該バネ座金を被服する樹脂シートとからなると共に、制御弁体の挿通孔に挿通された前記固定具には、ボールバルブの流通孔と外部とを連通する制御用通孔が形成され、固定具は、前記制御用通孔を開閉自在に閉塞するように、制御弁体をボールバルブに押圧されてなることにある。
【００１４】
また、弁本体内に、流体の流通する流通孔を有するボールバルブと、制御弁と、該制御弁をボールバルブに固定する固定具が設けられ、ボールバルブは、開閉すべく弁本体に回転自在に支持され、しかも、前記制御弁体は、皿状を呈したバネ座金と、該バネ座金を被服する樹脂シートとからなり、ボールバルブには、前記流通孔に連通する複数の制御通孔が形成され、前記固定具は、制御弁に形成された挿通孔に挿通されると共に、制御用通孔を開閉自在に閉塞するように、制御弁体をボールバルブに押圧されてなることにある。
【００１５】
【発明の実施の形態】
以下、本発明の実施の形態について図面を参照しながら説明する。
図１乃至図８は、本発明の一実施の形態を示す。図８に示す泡消火設備において、消火液加圧給送部１が接続される一次配管２と、複数の消火ヘッド９を備えた二次配管３と、一次配管２の分岐配管２ａ及び二次配管３との間にそれぞれ介在される一斉開放弁装置Ａと、該一斉開放弁装置Ａに接続される感知ライン５とを備えている。尚、感知ライン５には、複数の火災感知ヘッド６が設けられている。
また、感知ライン５の先端部には、安全弁付き手動起動弁装置Ｂがそれぞれ接続されている。一次配管２の主配管２ｂには、流水検知装置Ｃが接続され、該流水検知装置Ｃから配管７を介して排水弁装置Ｄが接続されている。
【００１６】
前記一斉開放弁装置Ａは、図１乃至図３に示す如く弁ケース１１とカバー体１２とから開放弁本体１３が構成され、弁ケース１１の内部に弁体としてのピストン弁１５が内蔵された構成のものである。前記弁ケース１１の内部は隔壁１１ａで仕切られ、一方は、一次配管２の分岐配管２ａに接続される一次側室１７で、他方は、二次配管３に接続される二次側室１８である。前記ピストン弁１５は、制御室２０内に上下方向に摺動自在に内嵌されている。
【００１７】
また、弁ケース１１には、一次側室１７から制御室２０及び二次側室１８に通じる通孔２２が形成されている。そして、ピストン弁１５の底壁１５ａの下面に設けられた環状のシール部材２４が、前記通孔２２を形成する環状弁座部２５に、上方から当接するようになっている。尚、ピストン弁１５の底壁１５ａの内周径は、通孔２２の直径よりも大きく設定され、ピストン弁１５の受圧面積が大きくなっている。
【００１８】
前記ピストン弁１５の内部の中央部には、図２に示す如く上方に突出するボス部２６が形成され、該ボス部２６には、一次側室１７と制御室２０に連通する連通孔２７が形成されている。該連通孔２７の周面を形成する雌ねじ部２９には、締結具（固定具）３０の筒状の雄ねじ部３０ａが螺合されている。締結具３０には、一次側室１７と連通孔２７（制御室２０）に連通する通孔３１が形成され、雄ねじ部３０ａ内に配置された弁体としてのボール３３が、弁座３４に上方から当接することにより、前記通孔３１を解除自在に閉塞するようになっている。
【００１９】
前記ピストン弁１５のボス部２６の周囲で且つシール部材２４の内周側には、一次側室１７と制御室２０とを連通する制御用通孔４０が形成されている。かかる制御用通孔４０は、単体であってもよいが、図２に示す如く、２以上の複数設けることが好ましい。
【００２０】
また、図１に示す如く前記カバー体１２のボス部１２ａとピストン弁１５のボス部２６との間には、圧縮バネ３５が介在されており、所定の力でピストン弁１５のシール部材２４を弁座２５に押し付けている。また、カバー体１２のボス部１２ａに形成されたねじ孔３７に軸体３８が出退自在に挿通され且つ螺合されている。軸体３８の下端部は、ピストン弁１５の上昇位置を決定できるように、制御室２０に臨んでおり、かつ上端側の操作部が上方に突出している。
【００２１】
前記締結具３０は、雄ねじ部３０ａよりも拡径したヘッド部３０ｂを有し、該ヘッド部３０ｂとピストン弁１５との間には、前記制御用通孔４０を開閉自在に閉塞するための環状の制御弁体４１が介在されている。制御弁体４１は、図３に示す如く弁本体としての皿状を呈したバネ座金４３と、該バネ座金４３の全体を被服するテフロン（登録商標）等の樹脂シート４４とからなる。そして、制御弁体４１の挿通孔４１ａに、前記締結具３０の雄ねじ部３０ａが挿通され、前記締結具３０のベッド部３０ｂにより、制御弁体４１はピストン弁１５の底壁１５ａの下面（弁座）に押圧されている。
【００２２】
樹脂シート４４は、ピストン弁１５及びヘッド部３０ｂとの密着性が良好なため、一次側室１７と制御室２０との間を確実にシールすることができる。尚、制御弁体４１が制御用通孔４０を閉塞するとは、制御弁体４１が制御用通孔４０を直接的に閉塞する場合以外に、制御弁体４１をピストン弁１５とヘッド部３０ｂ間にわたって設けることにより、両者間をシールする場合も含み、要は、制御室２０内の消火液が、制御用通孔４０を介して一次側室１７側に流出するのを防止することをいう。
【００２３】
本実施の形態の一斉開放弁装置Ａは、一次側室１７の圧力が制御室２０の圧力よりも高いときに、ボール３３が弁座３４から離れ、一次側室１７から制御室２０に向かって消火液を通過させることができる。逆に、制御室２０内の圧力が一次側室１７の圧力よりも高いときには、ボール３３が弁座３４に押圧され、制御室２０から一次側室１７に向かう消火液の通過を阻止する機能を有している。また、ピストン弁１５は、感知ラインを充液加圧して一斉開放弁装置Ａをセットするときに開動作状態になる。ボール３３は、感知ライン５に少量の圧力漏れ及び圧力変動が発生した場合に自動的に開動作して、一次側室１７から制御室２０を経て感知ライン５に消火液の補填を行う。
【００２４】
また、前記制御弁体４１においては、ピストン弁１５が通孔２２を閉じているときに、制御室２０の圧力が一次側室１７の圧力よりも一定値以上になると、制御弁体４１は、バネ座金４３が弾発付勢力に抗して下方に押され、それによって制御弁４１の周縁部が弁座から離れてピストン弁１５の底壁１５ａとの間に隙間を形成する。このため、感知ライン５の消火液は、制御室２０から制御通孔４０を介して一次側室１７を経て一次配管１１０に逃がされるようになっている。ここで、制御弁体４１の応動圧力は、締結具３０を回動して出退させることにより、バネ座金４３の強さを変えることによって容易且つ迅速に調整することができる。
【００２５】
次に、前記手動起動弁装置Ｂを図４乃至図６を参照しながら説明する。該手動起動弁装置Ｂは、筒状の弁本体４６内に、開閉用のボールバルブからなる第一弁体４７と、第二弁体４８が内蔵されている。第一弁体４７は、第二弁体４８よりも上流側に位置している。第一弁４７は流通孔４７ａが形成されていると共に、一対の弁座５０を介して回転自在に支持されている。弁本体４６には、第一弁体４７を開閉動作すべく、回転させる回転軸５１が、第一弁体４７に接続した状態で取り付けられている。該回転軸５１には、ハンドル５２が着脱自在に取り付けられるようになっている。
【００２６】
前記第二弁体４８は、ボールバルブ４９と制御弁体５３から構成されている。ボールバルブ４９も一対の弁座５４を介して、弁本体４６に取り付けられた回転軸５５で回転できるようになっている。制御弁体５３は、前記制御弁体４１と同様に皿状のバネ座金６８と、樹脂シート７０とから構成されている。尚、回転軸５５にハンドル５６が取り付けられるのは前記と同様である。ボールバルブ４９の流通孔５７は、交差状した２方向に形成されている。そして、図６に示す如く、ボールバルブ４９の一方の壁部４９ａには、弁座としての平坦面５９が形成され、しかも、該壁部４９ａに形成された雌ねじ部５０には、固定具としての締結具６２の雄ねじ部６３が出退自在に螺合されている。
【００２７】
締結具６２の雄ねじ部６３は、制御弁体５３の挿通孔５３ａに挿通されると共に、該制御弁体５３は、固定具６２のヘッド部６４により、平坦面５９に押圧されている。雄ねじ部６３は、平坦面５９よりも突出しており、その突出部には、締結具６２の内外に連通する制御用通孔６７が形成されている。また、制御用通孔６７は、前記制御弁体４８で開閉自在に閉塞されている。尚、制御弁体５３が制御用通孔６７を閉塞するとは、制御弁体５３が制御用通孔６７を直接的に閉塞する場合以外に、制御弁体５３をボールバルブ４９とヘッド部６４間にわたって設けることにより、両者間をシールする場合も含み、要は、ボールバルブ４９内の消火液が、制御用通孔６７を介して外部に流出するのを防止することをいう。
【００２８】
制御弁体５３の応動圧力は、締結具６２を回動して出退させることにより、バネ座金６８の強さを変えることによって調整することができる。尚、６９は、前記感知ライン５に接続すべく、弁本体４６の両端に螺合された接合部材である。
【００２９】
前記排水弁装置Ｄを図７乃至図９に示す。排水弁装置Ｄは、両端に配管７との接続口７７ａを有する排水弁本体７７と、図示省略のハンドルにより回転自在なボールバルブ７１と、制御弁体８０とを備えている。ボールバルブ７１は、排水弁本体７７に一対の環状の弁座７４を介して回転自在に支持されている。また、ボールバルブ７１の流通孔７５は、交差状した２方向に形成されている。そして、ボールバルブ７１の一方の壁部７１ａの外面は、弁座として機能すべく平坦面に形成され、しかも、該壁部７１ａに形成された雌ねじ部７１ｂには、固定具７６の雄ねじ部７６ａが螺合されている。前記一方の壁部７１ａには、雌ねじ部７１ｂを中心として且つボールバルブ７１の内外に連通する複数の制御用通孔７８が形成されている。
【００３０】
そして、各制御用通孔７８を開閉自在に閉塞するように、前記制御弁体８０が前記締結具の７６のヘッド部７６ｂにより一方の壁部７１ａに押圧されている。制御弁体８０は、皿状のバネ座金８１と、樹脂シート８２とから構成され、しかも、その挿通孔８０ａに固定具７６の雄ねじ部７６ａが挿通されている。尚、制御弁体８０が制御用通孔７８を閉塞するとは、制御弁体８０が制御用通孔７８を直接的に閉塞する場合以外に、制御弁体８０をボールバルブ７１とヘッド部７６ｂ間にわたって設けることにより、両者間をシールする場合も含み、要は、ボールバルブ７１内の消火液が、制御用通孔７８を介して外部に流出するのを防止することをいう。制御弁体８０の応動圧力は、締結具７６を回動して出退させることにより、バネ座金８１の強さを変えることによって容易且つ迅速に調整することができる。
【００３１】
前記排水弁本体７７の横方向の一側には、前記制御弁体８０を取り出すための取出口８４が形成されており、該取出口８４は、蓋体８５により開閉自在に閉塞されている。従って、制御弁体８０に異物が付着した際の洗浄や、制御弁体８０の交換等のメンテナンスを容易且つ迅速に行える。
【００３２】
次に、前記泡消火設備の動作について説明する。
一斉開放弁装置Ａは、通常一次側室１７及び制御室２０が消火液で満たされており、ピストン弁１５及び制御弁体４１は閉状態にある。また、手動起動弁装置Ｂは、第一弁体４７が開放され、且つ、第二弁体４８が閉塞状態にある（図５参照）。しかも、排水弁装置Ｄは、閉塞状態にある（図８参照）。
【００３３】
火災が発生すると、火災感知ヘッド６が作動し、感知ライン５は、その内部の消火液が流出し、圧力が低下する。尚、手動起動弁装置Ｂを手動で開放し、消火液を流出させることも可能である（図４（イ）及び（ロ）参照）。一斉開放弁装置Ａの一次側室１７側の消火液は、圧縮バネ３５の力およびピストン弁１５の圧力を上回り、ピストン弁１５が上方に移動し、二次側室１８に流体が流れこんで消火ヘッド９より消火液が散布され火災を消し止める。
【００３４】
また、火災時以外の通常時において、感知ライン内の圧力の上昇に伴って一斉開放弁装置Ａの制御室２０内の圧力が一次側室１７よりも所定圧力以上に高くなると、制御室２０内の流体圧により、制御弁体４１は、バネ座金４３がその弾発付勢力に抗して下方に押され、周縁部が弁座から離れてピストン弁１５との間に隙間を形成する（制御用通孔４０を開放させる。）。感知ラインの消火液は、制御室２０から制御通孔４０を介して一次側室１７を経て一次配管１１０に逃がされる。また、制御弁体４１は、ピストン弁１５の中央部に取り付けられていることから、ピストン弁１５の移動が安定し、シール機能の支障となることはない。
【００３５】
一次配管２に対して多数の二次配管３及び感知ライン５が設けられている場合には、一次配管の内容量に比し、感知ライン５の内容量が大きくなり、一次配管２で感知ライン５の流入分の圧力を吸収し難くなる。このように、一次配管２側の圧力が設定値以上になった場合には、排水弁装置Ｄが自動開放し、一次配管２内の消火液は、流水検知装置Ｃ及び排水弁装置Ｄを経て外部（大気）に流出される。即ち、排水弁装置Ｄの制御弁８０が流体圧により弾性変形し、開放するため、液体は、ボールバルブ７１の流通孔７５及び制御通孔７８を経て外部に流出することとなる。従って、一次配管２側に流体圧を吸収するアキュームレータ等の別体の専用部品を設ける必要はない。
【００３６】
本発明は上記の実施の形態に限定されるものではなく、例えば、弁装置の一例として、安全弁付き手動起動弁装置Ｂ及び排水弁装置Ｄを例示したが、これに限定されるものではなく、泡消火設備以外の設備に採用可能であり、流体も消火液に限定されるものではない。
【００３７】
【発明の効果】
本発明の泡消火設備によれば、感知ラインの圧力が一次配管の圧力よりも所定圧力以上に高くなったときに、感知ラインに充液加圧している消火液を一斉開放弁装置が一次配管側に逃がすので、感知ラインにアキュームレータを設置する必要がなくなる。しかも、前記一次配管に、その圧力上昇により開放する排出弁装置を設けたので、一次配管に対して多数の感知ラインが設けられた場合であっても、感知ラインや一次配管に用いられている配管や器具類に損傷を与えるおそれがなくなり、アキュームレータの設置や、断熱工事が不要となることから、配管設備全体のコストの低下を図ることができる。
【図面の簡単な説明】
【図１】本発明に係る一斉開放弁装置の一実施の形態を示す断面図である。
【図２】同要部を示す断面図である。
【図３】同制御弁体の一部破断を示す斜視図である。
【図４】本発明の一実施の形態の安全弁付き手動起動弁装置の開放状態を示し、（イ）は断面正面図、（ロ）は断面側面図である。
【図５】同手動起動弁装置の制御弁体の閉塞状態を示す断面正面図である。
【図６】同ボールバルブ及び制御弁体を示す断面正面図である。
【図７】本発明の一実施の形態の排水弁装置の開放状態を示す断面側面図である。
【図８】同閉塞状態を示す断面正面図である。
【図９】同図７のＡ−Ａ矢視断面図である。
【図１０】本発明の一実施の形態を示す泡消火設備の概略図である。
【図１１】従来例を示す泡消火設備の概略図である。
【符号の説明】
２…一次配管、３…二次配管、５…感知ライン、６…火災感知ヘッド、９…消火ヘッド、１３…開放弁本体（弁本体）、１５…ピストン弁（弁体）、１７…一次側室、１８…二次側室、２０…制御室、２２…通孔、４０…制御用通孔、４１…制御弁体、４３…バネ座金、４４…樹脂シート、４６…弁本体、４９…ボールバルブ、５３…制御弁体、５７…流通孔、６２…締結具（固定具）、６７…制御用通孔、６８…バネ座金、７０…樹脂シート、７１…ボールバルブ、７５…流通孔、７７…排水弁本体（弁本体）、７８…制御用通孔、８１…バネ座金、８２…樹脂シート、Ａ…一斉開放弁装置、Ｄ…排出弁装置
【図１】
2004135849.tif 000003
【図２】
2004135849.tif 000004
【図３】
2004135849.tif 000005
【図４】
2004135849.tif 000006
【図５】
2004135849.tif 000007
【図６】
2004135849.tif 000008
【図７】
2004135849.tif 000009
【図８】
2004135849.tif 000010
【図９】
2004135849.tif 000011
【図１０】
2004135849.tif 000012
【図１１】
2004135849.tif 000013